【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】
そのそれぞれの端部間に配置されて少なくとも一つの貯蔵区画部を規定する少なくとも一つのディバイダ、を有するベース部材と、
それぞれの貯蔵区画部に各々が配置された１以上のシールされたパッケージと、
を備え、
各シールされたパッケージは、プラスチックハウジングと複数の刃とを有する交換可能な髭剃りカートリッジを収容しており、
前記髭剃りカートリッジは、前記シールされたパッケージに封入されており、前記パッケージから一体の形態で取り外し可能である
ことを特徴とする髭剃りカートリッジ貯蔵装置。
【請求項２】
少なくとも一つの貯蔵区画部を有するベース部材と、
それぞれの貯蔵区画部に各々が配置された１以上のシールされたパッケージと、
を備え、
各シールされたパッケージは、当該開口を取り囲むシール面において剥離可能なフィルムでシールされている開口を有し、各シールされたパッケージは、その中に被貯蔵ユニットを収容し、前記フィルムは、所定の剥離力値より大なる剥離力の適用時に前記シール面から剥離可能であり、
各区画部は、前記区画部内に各パッケージを保持するための保持力を提供しており、
前記保持力は、前記所定の剥離力値よりも小さい
ことを特徴とするシールされたパッケージの貯蔵装置。
【請求項３】
そのそれぞれの端部間に配置されて少なくとも一つの貯蔵区画部を規定する少なくとも一つのディバイダ、を有するベース部材と、
それぞれの貯蔵区画部に各々が配置された１以上のシールされたパッケージと、
前記ベース部材にヒンジ状に接続された再密封可能な上方構造と、
を備え、
各パッケージは、その中に、前記シールされたパッケージに封入されており前記パッケージから一体の形態で取り外し可能である被貯蔵の個体のユニット、を収容しており、
前記ベース部材から離れている前記上方構造の開放位置において、各パッケージは、そのそれぞれの貯蔵区画部から、任意の他のパッケージからは独立に、選択的に取り外し可能である
ことを特徴とする１以上のシールされたパッケージのための貯蔵装置。
【請求項４】
少なくとも一つの貯蔵区画部を有するベース部材と、
前記ベース部材にヒンジ状に接続された上方構造と、
を備え、
前記上方構造は、その外側表面上に髭剃りカミソリ係合構造を有している
ことを特徴とする髭剃りカミソリのための貯蔵装置。
【請求項５】
壁取付け構造を有するベース部材であって、少なくとも一つの貯蔵区画部を有するベース部材と、
それぞれの前記区画部に各々が配置された１以上のパッケージと、
を備え、
各パッケージは、その中に、単一ユニットとして取り外し可能な被貯蔵ユニットを収容しており、
各区画部は、前記区画部内で前記パッケージの対向側部に保持力を与える対向部材を有している
ことを特徴とする壁取付の貯蔵装置。
【請求項６】
前記ベース部材は、面取付け構造を有している
ことを特徴とする請求項１乃至４のいずれかに記載の貯蔵装置。
【請求項７】
前記ベース部材は、壁取付け構造を有している
ことを特徴とする請求項１乃至４のいずれかに記載の貯蔵装置。
【請求項８】
前記被貯蔵ユニットは、プラスチックハウジングと複数の刃とを有する髭剃りカートリッジである
ことを特徴とする請求項２、３または５に記載の貯蔵装置。
【請求項９】
前記ベース部材は、プラスチックで形成され、その周縁周りに延びる側壁を有している
ことを特徴とする請求項２に記載の貯蔵装置。
【請求項１０】
前記ベース部材は、複数の区画部、及び、その中に形成されて前記側壁と協働して前記区画部を提供するディバイダ、を備え、
各ディバイダは、自由端とベース部とを有している
ことを特徴とする請求項９に記載の貯蔵装置。
【請求項１１】
前記ベース部材は、プラスチックで形成され、その周縁周りに延びる側壁を有している
ことを特徴とする請求項５に記載の貯蔵装置。
【請求項１２】
前記ベース部材は、複数の区画部、及び、その中に形成されて前記側壁と協働して前記区画部を提供するディバイダ、を備え、
各ディバイダは、自由端とベース部とを有している
ことを特徴とする請求項１１に記載の貯蔵装置。
【請求項１３】
前記ディバイダは、各々、前記ディバイダの前記自由端において平坦部を有しており、
前記平坦部は、前記パッケージの一側から延びる唇状縁部を受容し、
前記ディバイダは、前記パッケージの狭い端部分を受容するために前記ベースと前記端部との間の前記ディバイダに形成されている畝部を有している
ことを特徴とする請求項１０または１２に記載の貯蔵装置。
【請求項１４】
前記ディバイダは、各々、前記ディバイダの前記自由端において平坦部を有しており、
前記平坦部は、前記パッケージの一側から延びる唇状縁部を受容し、
前記ディバイダは、前記ベース部材の一側の前記側壁から他側の側壁まで部分的にのみ延びており、前記唇状縁部の露出部分を把持するための領域を提供している
ことを特徴とする請求項１０または１２に記載の貯蔵装置。
【請求項１５】
前記ディバイダは、前記対向部材をその上に有している
ことを特徴とする請求項１２に記載の貯蔵装置。
【請求項１６】
前記対向部材の一方は、弾性を有している
ことを特徴とする請求項５に記載の貯蔵装置。
【請求項１７】
前記対向部材は、前記パッケージと係合する鋭利部分を有している
ことを特徴とする請求項５に記載の貯蔵装置。
【請求項１８】
前記対向部材は、それぞれのパッケージのために干渉結合（しまり嵌め）を提供する
ことを特徴とする請求項５に記載の貯蔵装置。
【請求項１９】
前記ディバイダは、排水用開口を有している
ことを特徴とする請求項１０または１２に記載の貯蔵装置。
【請求項２０】
前記側壁は、前記ベース部材の底部において、排水用開口を有している
ことを特徴とする請求項９または１１に記載の貯蔵装置。
【請求項２１】
前記ベース部材は、前記パッケージを位置決めするための前記ディバイダ間の突出部を有している
ことを特徴とする請求項１０または１２に記載の貯蔵装置。
【請求項２２】
前記ベース部材は、プラスチックで形成されており、
前記ベース部材は、複数の前記区画部を有しており、前記区画部を提供するためにその中に形成されたディバイダを有している
ことを特徴とする請求項１または３に記載の貯蔵装置。
【請求項２３】
前記ベース部材にヒンジ状に接続された上方構造
を更に備えたことを特徴とする請求項１に記載の貯蔵装置。
【請求項２４】
前記上方構造は、その外側表面上に髭剃りカミソリ係合構造を有している
ことを特徴とする請求項２３に記載の貯蔵装置。
【請求項２５】
前記上方構造は、スナップ結合接続によって、前記ベース部材にヒンジ状に接続されている
ことを特徴とする請求項４または２４に記載の貯蔵装置。
【請求項２６】
前記カミソリ係合構造は、カミソリの柄部の底部と係合するように開口を規定する前記上方構造の一部を含んでいる
ことを特徴とする請求項４または２３に記載の貯蔵装置。
【請求項２７】
前記上方構造は、カミソリ柄部の一側の輪郭に適合する上昇部分を有している
ことを特徴とする請求項４または２４に記載の貯蔵装置。
【請求項２８】
前記上方構造は、柄部のカミソリヘッド側端部の近くで当該カミソリ柄部と係合する対向ウイング部を有している
ことを特徴とする請求項４または２４に記載の貯蔵装置。
【請求項２９】
前記上方構造は、柄部のカミソリヘッド側端部の近くで当該カミソリ柄部と係合する対向柔軟ウイング部、及び、当該ウイング部の間の支持部分、を有している
ことを特徴とする請求項４または２４に記載の貯蔵装置。
【請求項３０】
前記上方構造は、前記係合構造で支持される柄部に取り付けられるカートリッジにクリアランスを提供するための平坦領域を有している
ことを特徴とする請求項４または２４に記載の貯蔵装置。
【請求項３１】
前記上方構造は、前記ベース部材よりも柔らかいプラスチックで作られている
ことを特徴とする請求項４または２４に記載の貯蔵装置。
【請求項３２】
前記ベース部材は、プラスチックで形成され、その周縁周りに延びる側壁を有している
ことを特徴とする請求項３に記載の貯蔵装置。
【請求項３３】
前記ベース部材は、複数の区画部を有しており、
前記ベース部材は、その中に形成されて前記側壁と協働して前記区画部を提供するディバイダを有している
ことを特徴とする請求項３２に記載の貯蔵装置。
【請求項３４】
前記ベース部材にヒンジ状に接続された上方構造
を更に備えたことを特徴とする請求項２に記載の貯蔵装置。
【請求項３５】
前記上方構造は、その外側表面上に髭剃りカミソリ係合構造を有している
ことを特徴とする請求項３４に記載の貯蔵装置。
【請求項３６】
前記壁取付構造は、両面接着テープを有する
ことを特徴とする請求項５に記載の貯蔵装置。
【請求項３７】
前記壁取付構造は、吸引カップを有する
ことを特徴とする請求項５に記載の貯蔵装置。
【請求項３８】
前記壁取付構造は、壁に取付けられた横方向取付部材を受容するための開口を規定する前記ベース部材の一部を有する
ことを特徴とする請求項５に記載の貯蔵装置。
【請求項３９】
前記上方構造は、スナップ結合閉鎖部材と、前記上方構造の開放のために前記上方構造から延びる指係合用の唇状縁部と、を有する
ことを特徴とする請求項３、４、２３または３４に記載の貯蔵装置。
【請求項４０】
壁に確実に取り付けるための固定装置と、
前記固定装置に取り外し可能に取り付けられたベース部材と、
を備え、
前記固定装置は、第１係合構造を保持しており、
前記ベース部材は、前記第１係合構造と取り外し可能に係合する第２係合構造を保持しており、
前記ベース部材は、複数の貯蔵区画部を有しており、
それぞれの区画部に各々が配置された１以上のパッケージを更に備え、
各パッケージは、プラスチックハウジングと１以上の刃とを有する単一の髭剃りカートリッジを収容している
ことを特徴とする壁取付の貯蔵装置。
【請求項４１】
前記固定装置は、前記壁に取り付けられた板を含んでおり、
前記第１係合構造は、前記板から延びている
ことを特徴とする請求項４０に記載の貯蔵装置。
【請求項４２】
前記第１係合構造は、柱を有しており、
前記第２係合構造は、当該溝状の開口の一部で前記柱を受容するような、かつ、当該溝状の開口の他の一部で干渉結合で前記柱と確実に係合するような大きさの溝状の開口を有している
ことを特徴とする請求項４１に記載の貯蔵装置。
【請求項４３】
前記第１係合構造は、４つの柱を有しており、
前記第２係合構造は、当該溝状の開口の一部で前記各柱を受容するように、かつ、当該溝状の開口の他の一部で干渉結合で前記各柱と確実に係合するように、各々の大きさが定められた４つの溝状の開口を有している
ことを特徴とする請求項４１に記載の貯蔵装置。
【請求項４４】
前記ベース部材は、凹部を含んでおり、
前記固定装置は、前記凹部内で結合するように成形された位置決め突出部を含んでいる
ことを特徴とする請求項４０に記載の貯蔵装置。
【請求項４５】
前記固定装置は、前記壁への取付前に、前記ベース部材の１以上の区画部内で結合するように成形されている
ことを特徴とする請求項４０または４１に記載の貯蔵装置。
【請求項４６】
壁に確実に取り付けられると共に第１係合構造を保持する固定装置、への接続のための取り外し可能な壁取付の貯蔵装置であって、
前記固定装置に取り外し可能に取り付けられ得るベース部材
を備え、
前記ベース部材は、前記第１係合構造と取り外し可能に係合する第２係合構造を保持しており、
前記ベース部材は、複数の貯蔵区画部を有しており、
それぞれの区画部に各々が配置された１以上のパッケージを更に備え、
各パッケージは、プラスチックハウジングと１以上の刃とを有する単一の髭剃りカートリッジを収容している
ことを特徴とする貯蔵装置。
【請求項４７】
前記第１係合構造は、柱を有しており、
前記第２係合構造は、前記柱を受容するような大きさの溝状の開口を有している
ことを特徴とする請求項４６に記載の貯蔵装置。
【請求項４８】
前記第１係合構造は、４つの柱を有しており、
前記第２係合構造は、当該溝状の開口の一部で前記各柱を受容するように、かつ、当該溝状の開口の他の一部で干渉結合で前記各柱と確実に係合するように、各々の大きさが定められた４つの溝状の開口を有している
ことを特徴とする請求項４６に記載の貯蔵装置。
【請求項４９】
カートリッジを収容する複数の前記パッケージが存在して、
各パッケージは、前記複数の区画部のそれぞれの区画部内に位置している
ことを特徴とする請求項４０または４６に記載の貯蔵装置。
【請求項５０】
複数の区画部の各々は、壁に取り付けられた貯蔵装置の縦軸を横切って配置された主たる長手方向軸を有しており、  
各パッケージ及びその中に収容されるカミソリカートリッジの主たる長手方向軸は、区画部の長手方向軸に略平行に配置されている
ことを特徴とする請求項４０または４６に記載の貯蔵装置。
【請求項５１】
前記貯蔵区画部の各々は、その閉鎖状態におけるヒンジ上方構造の下面側に向かう開口を有しており、
閉鎖状態において、当該上方構造は貯蔵区画部の開口の略上方に存在する
ことを特徴とする請求項４に記載の貯蔵装置。
【請求項５２】
前記ベース部材は、後方壁と、前記後方壁から起立する一対の横方向対向側壁と、前記後方壁から起立する少なくとも一対の間隔の空いた横方向壁と、を有しており、
前記一対の対向側壁及び対向横方向壁は、少なくとも一つの貯蔵区画部を規定しており、
前記貯蔵区画部は、各ユニット貯蔵パッケージを、当該パッケージの対向する横面で取り囲み、各パッケージ及び貯蔵ユニットが、後方壁に略垂直で後方壁から離れる方向に一体で共に引き出されるために、後方壁から離れる向きに引込開口を規定する
ことを特徴とする請求項５に記載の貯蔵装置。